(57)【要約】      （修正有）【課題】バッグタイプとして不使用時の持ち運びができる利点を損なうことなく、簡易な構造で内部に入れたお湯を冷め難くし、持ち運びが容易であり、使用に際しても足湯効果が良好に得られるようにする足湯バッグを提供する。【解決手段】足湯バッグ１の折り畳み可能なバッグ本体２における上面部８を蓋体３で開閉可能に覆い、その蓋体３に、バッグ本体２内に差し入れた下肢と緩衝しない切り欠き１１を設けた。【選択図】図２
0003142815.tif 000002
【実用新案登録請求の範囲】
【請求項１】
正面板と背面板と左右側面板と底面板とからなり上面部が開放されてお湯などの液体を溜め受けできる折り畳み可能なバッグ本体と、前記バッグ本体の前記正面板に一辺が連接されて前記上面部を開閉可能に覆う蓋体とを備え、
前記蓋体には、バッグ本体内に差し入れた下肢と緩衝しない切り欠きが設けられていることを特徴とする足湯バッグ。
【請求項２】
上記蓋体は正面板に重なるようにバッグ本体内に落とし込みでき、蓋体が落とし込まれた前記バッグ本体が偏平に形状変形可能に設けられている請求項１に記載の足湯バッグ。
【請求項３】
上記蓋体は、上記正面板に連接する一辺と平行にして上面部の中央に対応する位置に折り部を有し、該折り部を境にして正面板側の前半板部と背面板側の後半板部に区分され、折り部を中心にして前記後半板部が開閉可能に設けられている請求項１または２に記載の足湯バッグ。
【請求項４】
対向する上記正面板と背面板とが上記上面部の高さ位置より上方に延設され、この延設部それぞれに手掛け手段が設けられている請求項１から３の何れか一項に記載の足湯バッグ。
【考案の詳細な説明】
【技術分野】
【０００１】
本考案はお湯を入れない不使用時の持ち運びが容易であるとともに、使用に際しては保温効果が高い足湯バッグに関するものである。
【背景技術】
【０００２】
近年、足元の血行を良好にして下肢をリラックスさせたり冷え性の改善を図る目的として足湯を行なうことができる多くの用具が提供されている。例えばお湯を入れる円筒状で有底としたバッグタイプの足湯器（特許文献１）、また、お湯及び血行促進などを図る足湯剤を入れるものであって角柱状で有底としたバッグタイプの足湯器（特許文献２）が提案されている。さらにこれらの他に剛性のある据え置きケースとして成形されたものを提案されている。
【特許文献１】特開２０３−１８０７８９号公報
【特許文献２】登録実用新案第３１１４９５１号公報
【考案の開示】
【考案が解決しようとする課題】
【０００３】
上述したバッグタイプの足湯器は形状が簡易で持ち運びし易い利点があるが、上面が大きく開放されていてその上面から熱が逃げて内部に入れたお湯が冷め易くなるという問題がある。勿論、市販されている足湯器にはヒーターを備えて湯温を保つ機能を備えている据え置きケースタイプの商品もあるが、不使用時においてもその持ち運びは困難である。
本考案は上記事情に鑑みてなされたもので、バッグタイプとして不使用時の持ち運びができる利点を損なうことなく、簡易な構造で内部に入れたお湯を冷め難くすることを課題とし、持ち運びが容易であり、使用に際しても足湯効果が良好に得られる足湯バッグを提供することを目的とする。
【課題を解決するための手段】
【０００４】
本発明は上記課題を考慮してなされたもので、正面板と背面板と左右側面板と底面板とからなり上面部が開放されてお湯などの液体を溜め受けできる折り畳み可能なバッグ本体と、前記バッグ本体の前記正面板に一辺が連接されて前記上面部を開閉可能に覆う蓋体とを備え、前記蓋体には、バッグ本体内に差し入れた下肢と緩衝しない切り欠きが設けられていることを特徴とする足湯バッグを提供して、上記課題を解消するものである。
そして、本考案において、上記蓋体は正面板に重なるようにバッグ本体内に落とし込みでき、蓋体が落とし込まれた前記バッグ本体が偏平に形状変形可能に設けられていることが良好である。
また、本考案において、上記蓋体は、上記正面板に連接する一辺と平行にして上面部の中央に対応する位置に折り部を有し、該折り部を境にして正面板側の前半板部と背面板側の後半板部に区分され、折り部を中心にして前記後半板部が開閉可能に設けられていることが良好である。
さらに、本考案において、対向する上記正面板と背面板とが上記上面部の高さ位置より上方に延設され、この延設部それぞれに手掛け手段が設けられていることが良好である。
【考案の効果】
【０００５】
請求項１の考案によれば、バッグ本体に足先を入れた状態で蓋体により上面部を覆うことができるため、お湯の熱が上面部から逃げ難くなる。よって、お湯に浸している足先を良好に暖めることができる。
請求項２の考案によれば、偏平にすることができるため、不使用に場所を取ることがなく保管管理し易いものとなる。
請求項３の考案によれば、蓋体の後半板部のみでも開閉できるため、蓋体で上面部を覆った場合でも前記後半板部のみを開くことで上面部の開放部分が広くなり、両足の足先をバッグ本体に入れることができるようになる。
請求項４の考案によれば、手掛け手段を備えているので、この手掛け手段を持って持ち運びが簡単に行なえる。
【考案を実施するための最良の形態】
【０００６】
つぎに本考案を図１から図４に示す実施の形態に基づいて詳細に説明する。
図中１は足湯バッグで、該足湯バッグ１は、偏平に折り畳むことができるバッグ本体２と同じく折り畳むことができる蓋体３とを備えてなるものである。前記バッグ本体２は後述するように手持ちできるバッグタイプの形状を有するものであって、図１に示すように正面板４と背面板５と左右側面板６との四面の面板を胴回りに連接して略角筒状の胴部を形成し、前記正面板４と背面板５と側面板６とのそれぞれの下辺に底面板７を連接して底部を形成していて、有底で上面部８が開放されたものとしている。
バッグ本体２の前記各面板４、５、６、７は、防水性、耐熱性、そして、ヒートシール性を有した柔軟な合成樹脂製シートを表皮とし、また面板が隣り合う連続部分についても防水処理が施されており、足湯として通常に適した温度のお湯や足湯用薬剤が入れられた液体を上面部から所定量流し入れることで、その足湯用の液体をバッグ本体２が溜め受けることができる（勿論、足湯用薬剤は溜め受けられたお湯に入れるようにしてもよい）。
【０００７】
対向する正面板４と背面板５との上辺は図示されているように上記上面部８の高さ位置より上方に延設されていて、その延設部４ａ，５ａそれぞれが二股状に分けられていて、その上端に握り棒を渡すようにして取り付けることで手掛け手段９が設けられている。
そして、バッグ本体２は上記正面板４と背面板５とが近付くように折り畳みして偏平にすることができるものであって、上記側面板６にはこの側面板６がバッグ本体２の内方に向けて内折れすることができる折り目が予め設定されているとともに、上記底面板７には中央部分で上方に向けて内折れすることができる折り目が予め設定されていて、側面板６それぞれをバッグ本体２の内方に向けて折り込みながら底面板７も二つ折り状に折り込むことで正面板４と背面板５とが近付き、図４に示されているようにバッグ本体２全体が偏平になる。
【０００８】
折り畳んだ後のバッグ本体２において二つ折り状態となった上記底面板７が開かないようにするために、底面板７の折り曲げによって対向する部位それぞれに面ファスナ１０が取り付けられていて、この二つの面ファスナ１０が分離可能に接合し合うことで、二つ折りの底面板７の開きを抑えてバッグ本体２の偏平形態が維持されるようにしている。
足湯バッグ１を使用するに際してバッグ本体２が偏平となっている場合、二つ折りされている底面板７、折り込まれている側面板６をそれぞれ広げるようにすればよい。
【０００９】
バッグ本体２にお湯などの液体を溜め受けたときに胴膨れしないように、そして、液体を入れたバッグ本体２を持ち上げたときに底面板７が下方に膨らみ出ないように、それぞれの面板に剛性のある保形板（図示せず）が、上記折り目に重ならない位置にして内設されている。
【００１０】
本足湯バッグ１ではこのバッグ本体２に足下を差入れている状態でもバッグ本体２に入れた液体の熱が、上面部から逃げ難くなるようにするために上記蓋体３を備えている。
図１及び図２に示されているように蓋体３は正面板４に上面部８の高さ位置にして一辺が連続して前記上面部８を覆うことのできる形状としている。そして、正面板４への連続部分を中心にして蓋体３が上下方向に回動でき、必要に応じて上面部８から上方に捲り上げたり、前記正面板４の内面に重なるようにバッグ本体２の内部に倒し込みできるものである（図４参照）。このバッグ本体２の内部への倒し込みは上述したようにバッグ本体２を偏平にする場合に行なうものであって、蓋体３を正面板４の内面に重ね合わせた状態でバッグ本体２を上述した手順で偏平にすることができる。このように偏平形態でも蓋体３がバッグ本体２の内部側に挟み込まれた状態であるために蓋体３がはみ出た形状にはならず、偏平時の取り扱いが容易である。
さらに、蓋体３は、上記バッグ本体２を構成している面板と同じように、防水性、耐熱性、ヒートシール性を有した柔軟な合成樹脂製シートを表皮とし、所要の部分（後述）に剛性のある保形板が内設されているとともに、バッグ本体２に差し入れて足先を足湯に浸している足下を避けながら上面部８を覆うことができるようにするために切り欠き１１が設けられている。
【００１１】
このように蓋体３はバッグ本体２の上面部８を覆うものであり、上記切り欠き１１が設けられているため、片足をバッグ本体２にあるお湯（足湯）に足先が浸るように入れてから蓋体３で上面部８を覆えば、上面部８から外部への放熱が抑えられてお湯が冷め難くなり、よって、足先を暖めて血行を促進させる足湯効果をより長く継続させることができる。
この実施の形態では、蓋体３による上面部８の閉鎖をより安定的にするために、蓋体３で上面部８を覆った状態でその蓋体３の側面板６側の辺と側面板６の上辺とがファスナ１２を介して連続可能に設けられており、必要に応じてファスナ１２を閉じることで蓋体３の側面板６側の辺が側面板６と連続し、蓋体３のずれを防止する。
【００１２】
さらに蓋体３は、上記正面板４に連接する一辺と平行にして上面部８の中央に対応する位置に折り部１３を有し、該折り部１３を境にして正面板４側の前半板部１４と背面板５側であって上記切り欠き１１が配置された後半板部１５に区分され、折り部１３を中心にして前記後半板部１５が単独で回動可能に設けられている。即ち、蓋体３で上面部８を覆い、少なくとも後半板部１５での上記ファスナ１２を開いている場合には、後半板部１５を回動させることで、上面部８の一部分が開閉できるようにしている（図３）。
この後半板部１５を開くことで広がる上面部８の開口は両足を揃えてバッグ本体２の内部に入れることができる広さであり、必要があれば、このように後半板部１５を捲くって両足の足先を足湯に浸すことで両方の足先を一度に暖めるようにすることができる。
【００１３】
上述したように蓋体３は中央部分の折り部１３に重ならない位置にして図示しない保形板が内設されていて、折り部１３の位置から自由に二つ折りでき、かつ、蓋体３全体としては或る程度の強度を有するように形成されている。そして、この蓋体３を二つ折りしたときに重なる上記前半板部１４と後半板部１５との重ね合わせで対向する部分には面ファスナ１０が取り付けられていて、蓋体３を二つ折りしたときに面ファスナ１０相互の分離可能な接合によって後半板部１５の前半板部１４に対する重ね合わせ状態が安定するようにしている。
【図面の簡単な説明】
【００１４】
【図１】本考案に係る足湯バッグの一例を示す説明図である。
【図２】一例の蓋体を上面部から上げた状態を示す説明図である。
【図３】一例の蓋体を二つ折りした状態を示す説明図である。
【図４】一例を偏平にした状態を示す説明図である。
【符号の説明】
【００１５】
１…足湯バッグ
２…バッグ本体
３…蓋体
４…正面板
５…背面板
６…側面板
７…底面板
８…上面部
９…手掛け手段
１０…面ファスナ
１１…切り欠き
１２…ファスナ
１３…折り部
１４…前半板部
１５…後半板部
【図１】
0003142815.tif 000003
【図２】
0003142815.tif 000004
【図３】
0003142815.tif 000005
【図４】
0003142815.tif 000006